(57)【要約】【課題】  ＡＭ受信機やＦＭ受信機のパルス性ノイズを抑制する。【解決手段】  ＡＭ受信機２０には、アンテナ１、ＲＦアンプ２、Ｉ／Ｑミキサ３、ＶＣＯ４、パルス性ノイズ検出器５、補間器６、ＢＰＦ７、ＩＦアンプ８、及びＡＭ検波器９が設けられている。Ｉ／Ｑミキサ３は同相用ミキサとしてのＩミキサ１１ａと直交用ミキサとしてのＱミキサ１１ｂから構成されている。パルス性ノイズ検出器５は、Ｉミキサ１１ａとＱミキサ１１ｂから出力された信号を入力し、補間信号を合成する。補間器６は、Ｉミキサ１１ａから出力された信号、Ｑミキサ１１ｂから出力された信号を入力し、パルス性ノイズ検出器５から出力された補間信号をもとにＩミキサ１１ａから出力された信号及びＱミキサ１１ｂから出力された信号を波形補間又は信号処理してパルス性ノイズを除去する。【選択図】  図１
2006174227.tif 000002
【特許請求の範囲】
【請求項１】
アンテナから受信した受信信号及び第１の局部発振信号を入力し、ミキシングするＩミキサと、前記第１の局部発振信号に対して９０°位相がずれた第２の局部発振信号を入力し、ミキシングするＱミキサとを有するＩ／Ｑミキサと、
前記Ｉミキサの出力信号及び前記Ｉミキサとは９０°位相がずれた前記Ｑミキサの出力信号を入力し、ピーク検出及び差分検出を行い、前記受信信号中に含まれるパルス性ノイズをパルス信号として検出するパルス性ノイズ検出器と、
前記Ｉミキサの出力信号及び前記Ｑミキサの出力信号を入力し、前記パルス性ノイズ検出器から出力された前記パルス信号にもとづいて前記Ｉミキサの出力信号及び前記Ｑミキサの出力信号の波形補間又は波形処理を行う補間器と、
を具備することを特徴とする受信機。
【請求項２】
アンテナから受信した受信信号及び第１の局部発振信号を入力し、ミキシングするＩミキサと、前記第１の局部発振信号に対して９０°位相がずれた第２の局部発振信号を入力し、ミキシングするＱミキサとを有するＩ／Ｑミキサと、
前記Ｉミキサの出力信号及び前記Ｉミキサとは９０°位相がずれた前記Ｑミキサの出力信号を入力し、ピーク検出及び差分検出を行い、前記受信信号中に含まれるパルス性ノイズをパルス信号として検出するパルス性ノイズ検出器と、
前記Ｉミキサの出力信号及び前記Ｑミキサの出力信号を入力し、前記パルス性ノイズ検出器から出力された前記パルス信号にもとづいて前記Ｉミキサの出力信号及び前記Ｑミキサの出力信号の波形補間又は波形処理を行う第１の補間器と、
前記第１の補間器の後段のＡＭ検波器、ＦＭ検波器、或いは復調器の出力側に設けられ、前記ＡＭ検波器、前記ＦＭ検波器、或いは前記復調器の出力信号を入力し、前記パルス性ノイズ検出器から出力された前記パルス信号にもとづいて前記ＡＭ検波器、前記ＦＭ検波器、或いは前記復調器の出力信号の波形補間又は波形処理を行う第２の補間器と、
を具備することを特徴とする受信機。
【請求項３】
アンテナから受信した受信信号及び第１の局部発振信号を入力し、ミキシングするＩミキサと、前記第１の局部発振信号に対して９０°位相がずれた第２の局部発振信号を入力し、ミキシングするＱミキサとを有するＩ／Ｑミキサと、
前記Ｉミキサ及び前記Ｑミキサの出力信号を入力し、前記Ｉミキサ及び前記Ｑミキサの出力信号をデジタル信号に変換するＡＤＣと、
前記ＡＤＣから出力された前記Ｉミキサのデジタル信号及び前記Ｑミキサのデジタル信号を入力し、前記Ｉミキサのデジタル信号及び前記Ｑミキサのデジタル信号の差分検出を行い、前記Ｉミキサのデジタル信号及び前記Ｑミキサのデジタル信号中のノイズとの同期をとるための同期信号を生成するＩ／Ｑ差分検出器と、
前記ＡＤＣから出力された前記Ｉミキサのデジタル信号及び前記Ｑミキサのデジタル信号を入力し、前記Ｉ／Ｑ差分検出器から出力された同期信号を参照して演算処理を行い、前記Ｉミキサのデジタル信号及び前記Ｑミキサのデジタル信号中の歪量を検出する検出器と、
前記検出器から出力された前記Ｉミキサのデジタル信号の歪量と前記Ｉミキサのデジタル信号、及び前記検出器から出力された前記Ｑミキサのデジタル信号の歪量と前記Ｑミキサのデジタル信号をそれぞれ演算処理し、前記Ｉミキサの出力信号及び前記Ｑミキサの出力信号の波形補間又は波形処理を行う処理器と、
を具備することを特徴とする受信機。
【請求項４】
アンテナから受信した第１の受信信号及び第１の局部発振信号を入力し、ミキシングする第１のＩミキサと、前記第１の局部発振信号に対して９０°位相がずれた第２の局部発振信号を入力し、ミキシングする第１のＱミキサとを備える第１のＩ／Ｑミキサと、前記第１のＩミキサの出力信号及び前記第１のＩミキサとは９０°位相がずれた前記第１のＱミキサの出力信号を入力し、ピーク検出及び差分検出を行い、前記受信信号中に含まれるパルス性ノイズを第１のパルス信号として検出する第１のパルス性ノイズ検出器と、前記第１のＩミキサの出力信号及び前記第１のＱミキサの出力信号を入力し、前記第１のパルス性ノイズ検出器から出力された前記第１のパルス信号にもとづいて前記第１のＩミキサの出力信号及び前記第１のＱミキサの出力信号の波形補間又は波形処理を行う第１の補間器とを有するＡＭ受信機と、
前記アンテナから受信した第２の受信信号及び第３の局部発振信号を入力し、ミキシングする第２のＩミキサと、前記第３の局部発振信号に対して９０°位相がずれた第４の局部発振信号を入力し、ミキシングする第２のＱミキサとを備える第２のＩ／Ｑミキサと、前記第２のＩミキサの出力信号及び前記第２のＩミキサとは９０°位相がずれた前記第２のＱミキサの出力信号を入力し、ピーク検出及び差分検出を行い、前記受信信号中に含まれるパルス性ノイズを第２のパルス信号として検出する第２のパルス性ノイズ検出器と、前記第２のＩミキサの出力信号及び前記第２のＱミキサの出力信号を入力し、前記第２のパルス性ノイズ検出器から出力された前記第２のパルス信号にもとづいて前記第２のＩミキサの出力信号及び前記第２のＱミキサの出力信号の波形補間又は波形処理を行う第２の補間器とを有するＦＭ受信機と、
を具備することを特徴とする受信機。
【請求項５】
前記パルス性ノイズ検出器は、前記Ｉミキサの出力信号を入力し、前記Ｉミキサの出力信号のピーク検出を行う第１のピーク検出器と、前記Ｑミキサの出力信号を入力し、前記Ｑミキサの出力信号のピーク検出を行う第２のピーク検出器と、
前記第１及び第２のピーク検出器から出力された信号を入力し、差分検出を行う差分検出器と、前記差分検出器から出力された信号を入力し、前記受信信号中に含まれるパルス性ノイズをパルス信号として検出するワンショットマルチバイブレータとから構成されることを特徴とする請求項１乃至４のいずれか１項に記載の受信機。
【発明の詳細な説明】
【技術分野】
【０００１】
本発明は、ラジオ、チューナー等に用いられるＡＭ受信機やＦＭ受信機に関する。
【背景技術】
【０００２】
従来、振幅変調（ＡＭ）電波を受信するＡＭラジオ、ＡＭチューナー、特に車載用では、自車や他車からのエンジン点火に伴うイグニッションノイズ、路面電車からのトラムノイズ、或いは電気自動車からのモーターノイズなどのパルス性ノイズがアンテナに混入する。このため、パルス性ノイズなどの雑音成分を除去するためにノイズキャンセラーが多用されている（例えば、特許文献１参照。）。このノイズキャンセラーでは、基準電圧に基づいてノイズ成分を確実に検出するために、受信信号の電界強度の変動を補償するＡＧＣ（Automatic  Gain  Control）回路を設けている。
【０００３】
ところが、基準電圧に基づいてノイズ成分の検出を行う場合、特に、入力信号がＡＭ信号では入力信号の振幅も変化するのでノイズとの判別が困難となり、不規則性のパルス性ノイズを除去することが困難になるという問題点がある。
【特許文献１】特開２０００−１０１４６３号公報（頁９、図１０）
【発明の開示】
【発明が解決しようとする課題】
【０００４】
本発明は、受信信号に混入するパルス性ノイズを抑制したＡＭ受信機やＦＭ受信機を提供する。
【課題を解決するための手段】
【０００５】
上記目的を達成するために、本発明の一態様の受信機は、アンテナから受信した受信信号及び第１の局部発振信号を入力し、ミキシングするＩミキサと、前記第１の局部発振信号に対して９０°位相がずれた第２の局部発振信号を入力し、ミキシングするＱミキサとを有するＩ／Ｑミキサと、前記Ｉミキサの出力信号及び前記Ｉミキサとは９０°位相がずれた前記Ｑミキサの出力信号を入力し、ピーク検出及び差分検出を行い、前記受信信号中に含まれるパルス性ノイズをパルス信号として検出するパルス性ノイズ検出器と、前記Ｉミキサの出力信号及び前記Ｑミキサの出力信号を入力し、前記パルス性ノイズ検出器から出力された前記パルス信号にもとづいて前記Ｉミキサの出力信号及び前記Ｑミキサの出力信号の波形補間又は波形処理を行う補間器とを具備することを特徴とする。
【０００６】
更に、上記目的を達成するために、本発明の他態様の受信機は、アンテナから受信した受信信号及び第１の局部発振信号を入力し、ミキシングするＩミキサと、前記第１の局部発振信号に対して９０°位相がずれた第２の局部発振信号を入力し、ミキシングするＱミキサとを有するＩ／Ｑミキサと、前記Ｉミキサの出力信号及び前記Ｉミキサとは９０°位相がずれた前記Ｑミキサの出力信号を入力し、ピーク検出及び差分検出を行い、前記受信信号中に含まれるパルス性ノイズをパルス信号として検出するパルス性ノイズ検出器と、前記Ｉミキサの出力信号及び前記Ｑミキサの出力信号を入力し、前記パルス性ノイズ検出器から出力された前記パルス信号にもとづいて前記Ｉミキサの出力信号及び前記Ｑミキサの出力信号の波形補間又は波形処理を行う第１の補間器と、前記第１の補間器の後段のＡＭ検波器、ＦＭ検波器、或いは復調器の出力側に設けられ、前記ＡＭ検波器、前記ＦＭ検波器、或いは前記復調器の出力信号を入力し、前記パルス性ノイズ検出器から出力された前記パルス信号にもとづいて前記ＡＭ検波器、前記ＦＭ検波器、或いは前記復調器の出力信号の波形補間又は波形処理を行う第２の補間器とを具備することを特徴とする。
【発明の効果】
【０００７】
本発明によれば、受信信号に混入するパルス性ノイズを抑制したＡＭ受信機やＦＭ受信機を提供することができる。
【発明を実施するための最良の形態】
【０００８】
以下本発明の実施例について図面を参照しながら説明する。
【実施例１】
【０００９】
まず、本発明の実施例１に係る受信機について、図面を参照して説明する。図１はシングルヘテロダイン方式ＡＭ受信機を示すブロック図である。本実施例では、パルス性ノイズなどのノイズ除去を図るためにＩ／Ｑミキサ、パルス性ノイズ検出器、及び補間器を設けている。
【００１０】
図１に示すように、ＡＭ受信機２０には、アンテナ１、ＲＦアンプ２、Ｉ／Ｑミキサ３、ＶＣＯ（Voltage  Controlled  Oscillator）４、パルス性ノイズ検出器５、補間器６、ＢＰＦ（Band  Pass  Filter）７、ＩＦアンプ８、及びＡＭ検波器９が設けられている。アンテナ１は、外部電波（ＡＭ信号）を受信し、その信号を図示しないフィルタを介してＲＦアンプ２に伝達する。ＲＦアンプ２はアンテナ１で受信した微弱な外部信号を増幅する。
【００１１】
電圧制御発振器として動作するＶＣＯ４は、受信した周波数と一定の周波数だけずれた周波数で局部発振信号を発振する。Ｉ／Ｑミキサ３は、同相用ミキサとしてのＩミキサ１１ａと直交用ミキサとしてのＱミキサ１１ｂから構成されている。Ｉミキサ１１ａとＱミキサ１１ｂにはＶＣＯ４から出力された局部発振信号及びＲＦアンプ２の出力信号が入力され、ミキシング動作を行う。なお、Ｑミキサ１１ｂには、Ｉミキサ１１ａに入力された局部発振信号に対して９０°位相がずれた局部発振信号が入力される。ここで、Ｉミキサ１１ａ及びＱミキサ１１ｂはＤＢＭ（Double−Balanced  Mixer）から構成されている。
【００１２】
パルス性ノイズ検出器５は、ピーク検出器１２ａ、ピーク検出器１２ｂ、差分検出器１３、及びワンショットマルチバイブレータ１４から構成されている。ピーク検出器１２ａは、Ｉミキサ１１ａから出力された信号を入力し、ピーク検出を行う。一方、ピーク検出器１２ｂは、Ｑミキサ１１ｂから出力され、Ｉミキサ１１ａから出力された信号に対して９０°位相がシフトされた信号を入力し、ピーク検出を行う。差分検出器１３は、ピーク検出器１２ａから出力された信号とピーク検出器１２ｂから出力された信号とを入力し、差分検出を行う。ワンショットマルチバイブレータ１４は、差分検出器１３から出力されたパルス信号を入力し、抵抗及びコンデンサなどからなる回路定数の値で決まる一定時間幅のパルス信号を出力する。
【００１３】
補間器６は、Ｉミキサ１１ａから出力された信号、Ｑミキサ１１ｂから出力された信号を入力し、パルス性ノイズ検出器５から出力された補間信号をもとにＩミキサ１１ａから出力された信号及びＱミキサ１１ｂから出力された信号を波形補間又は波形処理してパルス性ノイズを除去する。ここで、補間器６にはサンプルホールド回路を用いている。
【００１４】
ＢＰＦ７は、中間周波フィルタとして動作し、波形補間されたＩミキサ１１ａの出力信号と波形補間又は波形処理されたＱミキサ１１ｂの出力信号とを入力し、前記夫々の出力信号のどちらか一方の位相を９０°シフトし前記他方の出力信号とを合成し、一つの信号として出力する。ＩＦアンプ８は、ＢＰＦ７から出力された中間周波信号を増幅する。ＡＭ検波器９は、ＩＦアンプ８で増幅された信号を入力し、ＡＭ検波を行う。
【００１５】
次に、シングルヘテロダイン方式ＡＭ受信機のパルス性ノイズ除去について図２乃至図４を参照して説明する。図２及び図３はワンパルスノイズ入力時でのシングルヘテロダイン方式ＡＭ受信機動作を示すタイミングチャート、図４は隣接妨害信号入力時でのシングルヘテロダイン方式ＡＭ受信機動作を示すタイミングチャートである。なお、Ｉミキサ１１ａ及びＱミキサ１１ｂから出力される夫々のパルス性ノイズの位相角は便宜上π／２として図示している。
【００１６】
図２に示すように、まず、アンテナ１で受信したＡＭ信号は、ＲＦアンプ２で増幅されてＩ／Ｑミキサ３に入力され、Ｉ／Ｑミキサ３内のＩミキサ１１ａで同相中間周波信号と、Ｉ／Ｑミキサ３内のＱミキサ１１ｂで同相中間周波信号に対し位相が９０°シフトした直交中間周波信号とになる。ここで、直交中間周波信号のワンパルスノイズも位相が９０°シフトされる。
【００１７】
次に、Ｉミキサ１１ａから出力された信号はピーク検出器１２ａに入力され、（＋側）のパルス性ノイズと（−側）のパルス性ノイズがピーク検出される。一方、Ｑミキサ１１ｂから出力された信号はピーク検出器１２ｂに入力され、（＋側）の９０°位相がシフトしたパルス性ノイズと（−側）の９０°位相がシフトしたパルス性ノイズがピーク検出される。ここで、（−側）のピーク検出された信号は信号反転され（＋側）の信号に変換される。
【００１８】
図３に示すように、ピーク検出器１２ａから出力された信号とピーク検出器１２ｂから出力された信号は、差分検出器１３に入力される。（＋側）のピーク検出された信号と（＋側）の９０°位相がシフトした信号は差分検出され、（−側）のピーク検出された信号と（−側）の９０°位相がシフトした信号は差分検出される（２つの鋸波）。次に、１番目（＋側）の鋸波の立ち上がりがノイズの閾値になる時間と２番目（−側）の鋸波の立ち上がりがノイズの閾値になる時間との間（期間Ｔ１)を検出し、矩形波のパルス検出が行われる。
【００１９】
続いて、差分検出器１３から出力された矩形波がワンショットマルチバイブレータ１４に入力され、回路定数で決まる一定時間幅のパルス信号が生成される。このパルス信号とワンショットマルチバイブレータの閾値により、期間Ｔ２が検出される。
【００２０】
そして、パルス性ノイズ検出器５のワンショットマルチバイブレータ１４から出力された補間信号としてのパルス信号が補間器６に入力され、期間Ｔ１、Ｔ２の間、Ｉミキサ１１ａから出力された同相中間周波信号の波形補間又は波形処理（パルス性ノイズ除去）とＱミキサ１１ｂから出力された直交中間周波信号の波形補間又は波形処理（パルス性ノイズ除去）が行われる。次に、波形補間又は波形処理された同相中間周波信号及び直交中間周波信号はＢＰＦ７に入力され、ノイズが除去された一つの信号が合成される。
【００２１】
図４に示すように、まず、アンテナ１で受信したＡＭ信号は、ＲＦアンプ２で増幅されてＩ／Ｑミキサ３に入力され、Ｉ／Ｑミキサ３内のＩミキサ１１ａで同相中間周波信号と、Ｉ／Ｑミキサ３内のＱミキサ１１ｂで同相中間周波信号に対し位相が９０°シフトした直交中間周波信号とになる。
【００２２】
次に、Ｉミキサ１１ａから出力された信号はピーク検出器１２ａに入力され、（＋側）のパルス性ノイズと（−側）のパルス性ノイズがピーク検出される。一方、Ｑミキサ１１ｂから出力された信号はピーク検出器１２ｂに入力され、（＋側）の９０°位相がシフトしたパルス性ノイズと（−側）の９０°位相がシフトしたパルス性ノイズがピーク検出される。ここで、（−側）のピーク検出された信号は信号反転され（＋側）の信号に変換される。
【００２３】
続いて、ピーク検出器１２ａから出力された信号とピーク検出器１２ｂから出力された信号は、差分検出器１３に入力される。（＋側）のピーク検出された信号と（＋側）の９０°位相がシフトした信号は差分検出され、（−側）のピーク検出された信号と（−側）の９０°位相がシフトした信号は差分検出される（２つの鋸波）。なお、隣接妨害信号は連続成分なので、３波以降はノイズの閾値以下となり、検出されない。そして、１番目（＋側）の鋸波の立ち上がりがノイズの閾値になる時間と２番目（−側）の鋸波の立ち上がりがノイズの閾値になる時間との間（期間Ｔ１)を検出し、矩形波のパルス検出が行われる。
【００２４】
次に、差分検出器１３から出力された矩形波がワンショットマルチバイブレータ１４に入力され、回路定数で決まる一定時間幅のパルス信号が生成される。このパルス信号とワンショットマルチバイブレータの閾値により、期間Ｔ２が検出される。
【００２５】
続いて、パルス性ノイズ検出器５のワンショットマルチバイブレータ１４から出力された補間信号としてのパルス信号が補間器６に入力され、期間Ｔ１、Ｔ２の間、Ｉミキサ１１ａから出力された同相中間周波信号の波形補間又は波形処理（パルス性ノイズ除去）とＱミキサ１１ｂから出力された直交中間周波信号の波形補間又は波形処理（パルス性ノイズ除去）が行われる。そして、波形補間又は波形処理された同相中間周波信号及び直交中間周波信号はＢＰＦ７に入力され、隣接妨害信号等が除去された一つの信号が合成される。
【００２６】
上述したように、本実施例の受信機では、同相中間周波信号を出力するＩミキサ１１ａ及び直交中間周波信号を出力するＱミキサ１１ｂから構成されるＩ／Ｑミキサ３と、Ｉミキサ１１ａから出力された同相中間周波信号及びＱミキサ１１ｂから出力された直交中間周波信号を入力し、同相中間周波信号及び直交中間周波信号のパルス性ノイズを検出して補間信号を出力するパルス性ノイズ検出器５と、補間信号を入力し、同相中間周波信号及び直交中間周波信号の波形補間又は波形処理を行い、パルス性ノイズを除去する補間器６とが設けられている。
【００２７】
このため、受信機内で発生するパルス性ノイズ起因のエコーノイズを従来よりも１／２以下に低減することができる。また、パルス性ノイズ検出用に従来必要であったフィルタを設ける必要がなく、且つこのフィルタのエコーノイズによる不必要な音声停止期間がない。そして、同相中間周波信号成分と直交中間周波信号成分の差分からパルスノイズ発生時刻及び発生期間を検出しているので、隣接妨害信号による誤検出が従来よりも改善される。更に、パルス性ノイズ検出用としてＡＧＣ回路を設ける必要がないので、希望信号が強電界でもパルス性ノイズの検出ができる。
【００２８】
なお、本実施例では、補間器６から出力された同相中間周波信号、直交中間周波信号のどちらか一方をＢＰＦ７で位相を９０°シフトして前記夫々の中間周波信号の他方と合成して１つの中間周波信号を生成しているが、補間器６で同相中間周波信号、直交中間周波信号のどちらか一方の中間周波信号の位相をシフトし他方中間周波信号と合成し１つの中間周波信号を生成してＢＰＦ７に出力してもよい。
【実施例２】
【００２９】
次に、本発明の実施例２に係る受信機について、図面を参照して説明する。図５はシングルヘテロダイン方式ＡＭ受信機を示すブロック図である。本実施例では、ＡＭ検波器の出力側にも補間器を設けている。
【００３０】
以下、実施例１と同一構成部分には、同一符号を付してその部分の説明を省略し、異なる部分のみ説明する。
【００３１】
図５に示すように、ＡＭ受信機２０ａには、アンテナ１、ＲＦアンプ２、Ｉ／Ｑミキサ３、ＶＣＯ４、パルス性ノイズ検出器５、補間器６ａ、補間器６ｂ、ＢＰＦ７、ＩＦアンプ８、及びＡＭ検波器９が設けられている。
【００３２】
補間器６ａは、Ｉミキサ１１ａから出力された信号、Ｑミキサ１１ｂから出力された信号を入力し、パルス性ノイズ検出器５から出力された補間信号をもとにＩミキサ１１ａから出力された信号及びＱミキサ１１ｂから出力された信号を波形補間してパルス性ノイズを除去する。補間器６ｂは、ＡＭ検波器９から出力され、ＡＭ検波された信号を入力し、パルス性ノイズ検出器５から出力された補間信号をもとにＡＭ検波器９から出力された信号を波形補間又は波形処理する。ここで、補間器６ａ及び補間器６ｂにはサンプルホールド回路を用いている。
【００３３】
上述したように、本実施例の受信機では、同相中間周波信号を出力するＩミキサ１１ａ及び直交中間周波信号を出力するＱミキサ１１ｂから構成されるＩ／Ｑミキサ３と、Ｉミキサ１１ａから出力された同相中間周波信号及びＱミキサ１１ｂから出力された直交中間周波信号を入力し、同相中間周波信号及び直交中間周波信号のパルス性ノイズを検出して補間信号を出力するパルス性ノイズ検出器５と、補間信号を入力し、同相中間周波信号及び直交中間周波信号の信号補間を行い、パルス性ノイズを除去する補間器６ａと、補間信号を入力し、ＡＭ検波器９から出力された信号の信号補間を行い、エコーノイズを除去又は波形処理する補間器６ｂとが設けられている。
【００３４】
このため、受信機内で発生するパルス性ノイズ除去起因のエコーノイズを実施例１よりも更に抑制することができる。また、パルス性ノイズ検出用に従来必要であったフィルタを設ける必要がなく、且つ中間周波信号のパルス性ノイズ除去に起因しＢＰＦ７にて発生するエコーノイズの除去も可能である。そして、同相中間周波信号成分と直交中間周波信号成分の差分からパルスノイズ発生時刻及び発生期間を検出しているので、隣接妨害信号による誤検出が従来よりも改善される。更に、パルス性ノイズ検出用としてＡＧＣ回路を設ける必要がないので、希望信号が強電界でもパルス性ノイズの検出ができる。
【実施例３】
【００３５】
次に、本発明の実施例３に係る受信機について、図面を参照して説明する。図６はダブルヘテロダイン方式ＡＭ受信機を示すブロック図である。本実施例では、Ｉ／Ｑミキサを２つ設けている。
【００３６】
以下、実施例１と同一構成部分には、同一符号を付してその部分の説明を省略し、異なる部分のみ説明する。
【００３７】
図６に示すように、ＡＭ受信機２０ｂには、アンテナ１、ＲＦアンプ２、Ｉ／Ｑミキサ３ａ、Ｉ／Ｑミキサ３ｂ、ＶＣＯ４、パルス性ノイズ検出器５、補間器６、ＢＰＦ７、ＩＦアンプ８、ＡＭ検波器９、及びＯＳＣ（Oscillator）１５が設けられている。ここで、Ｉ／Ｑミキサを２段構成にしているので、補間器６に入力されるＩミキサ及びＱミキサの出力信号特性が向上し、Ｉ／Ｑミキサ３ｂ以降の後段、例えば、補間器６の負担が軽減される。
【００３８】
発振器として動作するＯＳＣ１５は、受信した周波数と一定の周波数だけずれた周波数で局部発振信号を出力する。Ｉ／Ｑミキサ３ａは、図示しない同相用ミキサとしてのＩミキサと直交用ミキサとしてのＱミキサから構成されている。ＩミキサとＱミキサにはＶＣＯ４から出力された局部発振信号及びＲＦアンプ２の出力信号が入力され、ミキシング動作を行う。Ｉ／Ｑミキサ３ｂは、図示しない同相用ミキサとしてのＩミキサと直交用ミキサとしてのＱミキサから構成されている。このＩミキサにはＯＳＣ１５から出力された局部発振信号及びＩ／Ｑミキサ３ａのＩミキサ及びＱミキサの出力信号が入力され、ミキシング動作を行う。一方、このＱミキサにはＯＳＣ１５から出力された局部発振信号及びＩ／Ｑミキサ３ａのＩミキサ及びＱミキサの出力信号が入力され、ミキシング動作を行う。
【００３９】
上述したように、本実施例の受信機では、同相中間周波信号を出力するＩミキサ及び直交中間周波信号を出力するＱミキサから構成されるＩ／Ｑミキサ３ａと、Ｉ／Ｑミキサ３ａのＩミキサから出力された同相中間周波信号及びＩ／Ｑミキサ３ａのＱミキサから出力された直交中間周波信号を入力し、同相中間周波信号及び直交中間周波信号のパルス性ノイズを検出して補間信号を出力するパルス性ノイズ検出器５と、補間信号を入力し、同相中間周波信号及び直交中間周波信号の波形補間又は波形処理を行い、パルス性ノイズを除去する補間器６とが設けられている。このため、実施例１と同様な効果を有する。
【００４０】
なお、本実施例では補間器６を設けているが、ＡＭ検波器９の出力側に更に補間器を設けてもよい。
【実施例４】
【００４１】
次に、本発明の実施例４に係る受信機について、図面を参照して説明する。図７はダイレクト同期検波方式ＡＭ受信機を示すブロック図である。
【００４２】
以下、実施例１と同一構成部分には、同一符号を付してその部分の説明を省略し、異なる部分のみ説明する。
【００４３】
図７に示すように、ＡＭ受信機２０ｃには、アンテナ１、ＲＦアンプ２、Ｉ／Ｑミキサ３、ＶＣＯ４、パルス性ノイズ検出器５、補間器６、ＬＰＦ（Low  Pass  Filter）１６、及びLＦアンプ１７が設けられている。
【００４４】
ＬＰＦ１６は、低域通過濾波器として動作し、波形補間されたＩ／Ｑミキサ３の同相出力信号と、波形補間されたＩ／Ｑミキサ３の直行出力信号とを入力し、入力された２つの信号の高周波成分を除去し、前記どちらか一方の出力信号の位相を９０°シフトして合成し、一つの信号として出力する。ＬＦアンプ１７は、ＬＰＦ１６から出力された低周波信号を増幅する。
【００４５】
上述したように、本実施例の受信機では、同相低周波信号および直行低周波信号を出力するＩ／Ｑミキサ３と、Ｉ／Ｑミキサ３から出力された同相低周波信号及び直交低周波信号を入力し、同相低周波信号及び直交低周波信号のパルス性ノイズを検出して補間信号を出力するパルス性ノイズ検出器５と、補間信号を入力し、同相低周波信号及び直交低周波信号の波形補間又は波形処理を行い、パルス性ノイズを除去する補間器６とが設けられている。このため、実施例１と同様な効果を有する。
【００４６】
なお、本実施例では補間器６を設けているが、ＬＦアンプ１７の出力側に更に補間器を設けてもよい。
【実施例５】
【００４７】
次に、本発明の実施例５に係る受信機について、図面を参照して説明する。図８はシングルヘテロダイン方式ＦＭ受信機を示すブロック図である。
【００４８】
以下、実施例１と同一構成部分には、同一符号を付してその部分の説明を省略し、異なる部分のみ説明する。
【００４９】
図８に示すように、ＦＭ受信機３０には、アンテナ１、ＲＦアンプ２、Ｉ／Ｑミキサ３ｃ、ＶＣＯ４ａ、パルス性ノイズ検出器５、補間器６ｃ、ＢＰＦ７、リミッタアンプ３１、及びＦＭ検波器３２が設けられている。なお、ＦＭ受信機３０は周波数変調又は位相変調成分の検波を行うので、ＡＭ受信機と比べてパルス性ノイズ起因の振幅性ノイズ混入による影響は少ないが、位相性ノイズ混入による影響が発生する。このためＦＭ受信機３０の中間周波領域でのパルス性ノイズによる位相性ノイズ混入防止用としてパルス性ノイズ検出器５及び補間器６ｃを設けている。
【００５０】
アンテナ１は、外部電波（ＦＭ信号）を受信し、その信号を図示しないフィルタを介してＲＦアンプ２に伝達する。ＲＦアンプ２はアンテナ１で受信した微弱な外部信号を増幅する。Ｉ／Ｑミキサ３ｃは、図示しない同相用ミキサとしてのＩミキサと直交用ミキサとしてのＱミキサから構成されている。ＩミキサとＱミキサには電圧制御発振器としてのＶＣＯ４ａから局部発振信号及びＲＦアンプ２の出力信号が入力され、ミキシング動作を行う。ここで、Ｉミキサ及びＱミキサはＤＢＭから構成されている。
【００５１】
ピーク検出器１２ａは、Ｉミキサから出力された信号を入力し、ピーク検出を行う。一方、ピーク検出器１２ｂは、Ｑミキサから出力され、Ｉミキサから出力された信号に対して９０°位相がシフトされた信号を入力し、ピーク検出を行う。差分検出器１３は、ピーク検出器１２ａから出力された信号とピーク検出器１２ｂから出力された信号とを入力し、差分検出を行う。ワンショットマルチバイブレータ１４は、差分検出器１３から出力されたパルス信号を入力し、抵抗及びコンデンサなどからなる回路定数の値で決まる一定時間幅のパルス信号を出力する。
【００５２】
補間器６ｃは、Ｉミキサから出力された信号、Ｑミキサから出力された信号を入力し、パルス性ノイズ検出器５から出力された補間信号をもとにＩミキサから出力された信号及びＱミキサから出力された信号を波形補間又は波形処理してパルス性ノイズによって生成された位相性ノイズを除去する。
【００５３】
ＢＰＦ７は、中間周波フィルタとして動作し、波形補間されたＩミキサの出力信号と波形補間されたＱミキサの出力信号とを入力し、位相を調整して波形補間されたＩミキサの出力信号と波形補間されたＱミキサの出力信号とを合成し、一つの信号として出力する。中間周波リミッタ増幅器として動作するリミッタアンプ３１は、ＢＰＦ７から出力された信号を増幅する。ＦＭ検波器３２は、リミッタアンプ３１で増幅された信号を入力し、ＦＭ検波を行う。
【００５４】
上述したように、本実施例の受信機では、同相中間周波信号を出力するＩミキサ及び直交中間周波信号を出力するＱミキサから構成されるＩ／Ｑミキサ３ｃと、Ｉミキサから出力された同相中間周波信号及びＱミキサから出力された直交中間周波信号を入力し、中間周波領域での同相中間周波信号及び直交中間周波信号のパルス性ノイズを検出して補間信号を出力するパルス性ノイズ検出器５と、補間信号を入力し、同相中間周波信号及び直交中間周波信号の波形補間又は波形処理を行い、パルス性ノイズによって生成された位相性ノイズを除去する補間器６ｃとが設けられている。
【００５５】
このため、ＦＭ検波器３２ではＦＭ波の位相情報を乱すパルス性ノイズが検波されない。従って、所望のＦＭ検波出力がＦＭ検波器３２から出力される。
【００５６】
なお、本実施例では補間器６ｃを設けているが、ＦＭ検波器３２の出力側に更に補間器を設けてもよい。
【実施例６】
【００５７】
次に、本発明の実施例６に係る受信機について、図面を参照して説明する。図９はダブルヘテロダインＦＭ受信機を示すブロック図である。
【００５８】
以下、実施例５と同一構成部分には、同一符号を付してその部分の説明を省略し、異なる部分のみ説明する。
【００５９】
図９に示すように、ＦＭ受信機３０ａには、アンテナ１、ＲＦアンプ２、Ｉ／Ｑミキサ３ｄ、Ｉ／Ｑミキサ３ｅ、ＶＣＯ４ａ、パルス性ノイズ検出器５、補間器６ｃ、ＢＰＦ７、ＯＳＣ１５ａ、リミッタアンプ３１、及びＦＭ検波器３２が設けられている。
【００６０】
Ｉ／Ｑミキサ３ｄは、図示しない同相用ミキサとしてのＩミキサと直交用ミキサとしてのＱミキサから構成されている。ＩミキサとＱミキサには電圧制御発振器としてのＶＣＯ４ａから局部発振信号及びＲＦアンプ２の出力信号が入力され、ミキシング動作を行う。Ｉ／Ｑミキサ３ｅは、図示しない同相用ミキサとしてのＩミキサと直交用ミキサとしてのＱミキサから構成されている。このＩミキサとＱミキサには発振器としてのＯＳＣ１５ａから局部発振信号及びＩ／Ｑミキサ３ｄの出力信号が入力され、ミキシング動作を行う。
【００６１】
上述したように、本実施例の受信機では、同相中間周波信号を出力するＩミキサ及び直交中間周波信号を出力するＱミキサから構成され、ミキシング動作を行うＩ／Ｑミキサ３ｄと、Ｉ／Ｑミキサ３ｄのＩミキサから出力された同相中間周波信号及びＩ／Ｑミキサ３ｄのＱミキサから出力された直交中間周波信号を入力し、中間周波領域での同相中間周波信号及び直交中間周波信号のパルス性ノイズを検出して補間信号を出力するパルス性ノイズ検出器５と、補間信号を入力し、同相中間周波信号及び直交中間周波信号の波形補間又は波形処理を行い、中間周波領域でのパルス性ノイズを除去する補間器６ｃとが設けられている。
【００６２】
このため、ＦＭ検波器３２ではＦＭ波の位相情報を乱すパルス性ノイズが検波されない。従って、所望のＦＭ波がＦＭ検波器３２から出力される。
【００６３】
なお、本実施例では補間器６を設けているが、ＦＭ検波器３２の出力側に更に補間器を設けてもよい。
【実施例７】
【００６４】
次に、本発明の実施例７に係る受信機について、図面を参照して説明する。図１０はシングルヘテロダイン方式ＦＭ受信機を示すブロック図である。本実施例では、Ｉミキサから出力され、ＡＤＣでデジタル化された信号とＱミキサから出力され、ＡＤＣでデジタル化された信号とを、例えば、ＣＭＡ（Constant  Modulus  Algorithm)を用いた演算処理によりパルス性ノイズによって生成された位相性ノイズを除去している。
【００６５】
以下、実施例５と同一構成部分には、同一符号を付してその部分の説明を省略し、異なる部分のみ説明する。
【００６６】
図１０に示すように、ＦＭ受信機３０ｂには、アンテナ１、ＲＦアンプ２、Ｉ／Ｑミキサ３ｃ、ＶＣＯ４ａ、ＡＤＣ（Analog  to  Digital  Converter）３３、
Ｉ／Ｑ差分検出器３４、検出器３５、処理器３６、ＢＰＦ７ａ、リミッタアンプ３１ａ、及びＦＭ検波器３２ａが設けられている。
【００６７】
ＡＤＣ３３は、Ｉ／Ｑミキサ３ｃのＩミキサから出力された信号とＩ／Ｑミキサ３ｃのＱミキサから出力された信号をアナログ信号からデジタル信号に変換する。ここで、所望のビット精度を確保するためにＡＤＣは１２ビット以上のものが好ましい。
【００６８】
Ｉ／Ｑ差分検出器３４は、ＡＤＣ３３から出力されたＩミキサのデジタル信号及びＱミキサのデジタル信号を入力し、差分検出を行い、パルス性ノイズによって生成された位相性ノイズの開始や終了の同期をとるための同期信号を生成する。
【００６９】
検出器３５は、ＡＤＣ３３から出力されたＩミキサのデジタル信号及びＱミキサのデジタル信号を入力し、Ｉ／Ｑ差分検出器３４から出力された同期信号を参照して演算処理を行い、パルス性ノイズやマルチパス歪などの歪量を検出し、その信号を出力する。なお、歪量はＩミキサのデジタル信号成分及びＱミキサのデジタル信号成分になる。ここで、歪量の検出をする演算処理方法として、例えば、定包絡線信号アルゴリズムであるＣＭＡを用いる。ＣＭＡを用いる場合、低ＢＥＲ（Bit  Error  Rate）である非線形最小２乗法のＬＳ−ＣＭＡが好ましいが、計算負荷の少ない最急降下法のＳＤ−ＣＭＡを用いてもよい。
【００７０】
処理器３６は、ＡＤＣ３３から出力されたＩミキサのデジタル信号及びＱミキサのデジタル信号を入力する。そして、処理器３６は検出器３５から出力されたIミキサのデジタル信号の歪量とＩミキサのデジタル信号とを演算処理してパルス性ノイズによって生成された位相性ノイズを除去し、検出器３５から出力されたＱミキサのデジタル信号の歪量とＱミキサのデジタル信号とを演算処理してパルス性ノイズによって生成された位相性ノイズを除去する。
【００７１】
ＢＰＦ７ａは中間周波フィルタとして動作し、処理器３６によってパルス性ノイズ起因の位相性ノイズが除去されたデジタル信号と、処理器３６によってパルス性ノイズ起因の位相性ノイズが除去されたデジタル信号とを入力し、一つの信号として出力する。中間周波リミッタ増幅器として動作するリミッタアンプ３１ａは、ＢＰＦ７ａから出力された信号を増幅する。ＦＭ検波器３２ａは、リミッタアンプ３１ａで増幅された信号を入力し、ＦＭ検波を行う。
【００７２】
上述したように、本実施例の受信機では、同相中間周波信号を出力するＩミキサ及び直交中間周波信号を出力するＱミキサから構成されるＩ／Ｑミキサ３ｃと、
Ｉミキサ及びＱミキサから出力された信号をデジタル信号に変換するＡＤＣ３３と、ＡＤＣ３３から出力された同相中間周波信号であるＩミキサのデジタル信号及びＡＤＣ３３から出力された直交中間周波信号であるＱミキサのデジタル信号を入力し、中間周波領域での同相中間周波信号及び直交中間周波信号のパルス性ノイズを検出して同期信号を出力するＩ／Ｑ差分検出器３４と、同期信号を入力し、例えばＣＭＡによる演算処理により同相中間周波信号及び直交中間周波信号のパルス性ノイズ起因の位相性ノイズを除去する処理器３６とが設けられている。
【００７３】
このため、ＦＭ検波器３２ａではパルス性ノイズ起因の位相性ノイズが検波されない。従って、所望のＦＭ波がＦＭ検波器３２ａから出力される。
【００７４】
本発明は、上記実施例に限定されるものではなく、発明の趣旨を逸脱しない範囲で、種々、変更してもよい。
【００７５】
例えば、本実施例ではＦＭ受信機に適用しているが、ＦＭ検波器以外の複調器を備えた受信機にも適用できる。また、ＦＭ受信機について説明しているが、ＡＭ受信機及びＦＭ受信機を同一装置内に設けてもよい。更に、実施例７では、例えば定包絡線信号アルゴリズムであるＣＭＡを用いてＦＭ受信機のパルス性ノイズを除去しているが、ＡＭ受信機にＣＭＡを応用した演算処理を適用してもよい。
【００７６】
本発明は、以下の付記に記載されているような構成が考えられる。  
（付記１）  アンテナから受信した第１の受信信号及び第１の局部発振信号を入力し、ミキシングする第１のＩミキサと、前記第１の局部発振信号に対して９０°位相がずれた第２の局部発振信号を入力し、ミキシングする第１のＱミキサとを備える第１のＩ／Ｑミキサと、前記第１のＩミキサの出力信号及び前記第１のＩミキサとは９０°位相がずれた前記第１のＱミキサの出力信号を入力し、ピーク検出及び差分検出を行い、前記受信信号中に含まれるパルス性ノイズを第１のパルス信号として検出する第１のパルス性ノイズ検出器と、前記第１のＩミキサの出力信号及び前記第１のＱミキサの出力信号を入力し、前記第１のパルス性ノイズ検出器から出力された前記第１のパルス信号にもとづいて前記第１のＩミキサの出力信号及び前記第１のＱミキサの出力信号の波形補間又は波形処理を行う第１の補間器と、前記第１の補間器の後段のＡＭ検波器の出力側に設けられ、前記ＡＭ検波器の出力信号を入力し、前記第１のパルス性ノイズ検出器から出力された前記第１のパルス信号にもとづいて前記ＡＭ検波器の出力信号の波形補間又は信号処理を行う第２の補間器とを有するＡＭ受信機と、前記アンテナから受信した第２の受信信号及び第３の局部発振信号を入力し、ミキシングする第２のＩミキサと、前記第２の受信信号及び前記第３の局部発振信号に対して９０°位相がずれた第４の局部発振信号を入力し、ミキシングする第２のＱミキサとを備える第２のＩ／Ｑミキサと、前記第２のＩミキサの出力信号及び前記第２のＩミキサとは９０°位相がずれた前記第２のＱミキサの出力信号を入力し、ピーク検出及び差分検出を行い、前記受信信号中に含まれるパルス性ノイズを第２のパルス信号として検出する第２のパルス性ノイズ検出器と、前記第２のＩミキサの出力信号及び前記第２のＱミキサの出力信号を入力し、前記第２のパルス性ノイズ検出器から出力された前記第２のパルス信号にもとづいて前記第２のＩミキサの出力信号及び前記第２のＱミキサの出力信号の波形補間又は信号処理を行う第３の補間器と、前記第３の補間器の後段のＦＭ検波器の出力側に設けられ、前記ＦＭ検波器の出力信号を入力し、前記第２のパルス性ノイズ検出器から出力された前記第２のパルス信号にもとづいて前記ＦＭ検波器の出力信号の波形補間又は信号処理を行う第４の補間器と有するＦＭ受信機とを具備する受信機。
【００７７】
（付記２）  アンテナから受信した受信信号及び第１の局部発振信号を入力し、ミキシングするＩミキサと、前記受信信号及び前記第１の局部発振信号に対して９０°位相がずれた第２の局部発振信号を入力し、ミキシングするＱミキサとを有するＩ／Ｑミキサと、前記Ｉミキサ及び前記Ｑミキサの出力信号を入力し、前記Ｉミキサ及び前記Ｑミキサの出力信号をデジタル信号に変換するＡＤＣと、前記ＡＤＣから出力された前記Ｉミキサのデジタル信号及び前記Ｑミキサのデジタル信号を入力し、前記Ｉミキサのデジタル信号及び前記Ｑミキサのデジタル信号の差分検出を行い、前記Ｉミキサのデジタル信号及び前記Ｑミキサのデジタル信号中のノイズとの同期をとるための同期信号を生成するＩ／Ｑ差分検出器と、前記ＡＤＣから出力された前記Ｉミキサのデジタル信号及び前記Ｑミキサのデジタル信号を入力し、前記Ｉ／Ｑ差分検出器から出力された同期信号を参照して定包絡線信号アルゴリズムのＣＭＡによる演算処理を行い、前記Ｉミキサのデジタル信号及び前記Ｑミキサのデジタル信号中の歪量を検出し、前記ＡＤＣから出力された前記Ｉミキサのデジタル信号及び前記Ｑミキサのデジタル信号から、前記検出された前記Ｉミキサのデジタル信号および前記Ｑミキサのデジタル信号中の歪量でそれぞれ演算し、前記Ｉミキサの出力信号及び前記Ｑミキサの出力信号の波形補間又は波形処理を行う処理器とを具備する受信機。
【図面の簡単な説明】
【００７８】
【図１】本発明の実施例１に係るシングルヘテロダイン方式ＡＭ受信機を示すブロック図。
【図２】本発明の実施例１に係るワンパルスノイズ入力時でのシングルヘテロダイン方式ＡＭ受信機動作を示すタイミングチャート。
【図３】本発明の実施例１に係るワンパルスノイズ入力時でのシングルヘテロダイン方式ＡＭ受信機動作を示すタイミングチャート。
【図４】本発明の実施例１に係る連続マルチパルスノイズ入力時でのシングルヘテロダイン方式ＡＭ受信機動作を示すタイミングチャート。
【図５】本発明の実施例２に係るシングルヘテロダイン方式ＡＭ受信機を示すブロック図。
【図６】本発明の実施例３に係るダブルヘテロダイン方式ＡＭ受信機を示すブロック図。
【図７】本発明の実施例４に係るダイレクト同期検波方式ＡＭ受信機を示すブロック図。
【図８】本発明の実施例５に係るシングルヘテロダイン方式ＦＭ受信機を示すブロック図。
【図９】本発明の実施例６に係るダブルヘテロダイン方式ＦＭ受信機を示すブロック図。
【図１０】本発明の実施例７に係るシングルヘテロダイン方式ＦＭ受信機を示すブロック図。
【符号の説明】
【００７９】
１  アンテナ
２  ＲＦアンプ
３、３ａ、３ｂ、３ｃ、３ｄ、３ｅ  Ｉ／Ｑミキサ
４、４ａ  ＶＣＯ
５  パルス性ノイズ検出器
６、６ａ、６ｂ  補間器
７、７ａ  ＢＰＦ
８  ＩＦアンプ
９  ＡＭ検波器
１１ａ  Ｉミキサ
１１ｂ  Ｑミキサ
１２ａ、１２ｂ  ピーク検出器
１３  差分検出器
１４  ワンショットマルチバイブレータ
１５、１５ａ  ＯＳＣ
１６  ＬＰＦ
１７  ＬＦアンプ
３１、３１ａ  リミッタアンプ
３２、３２ａ  ＦＭ検波器
３３  ＡＤＣ
３４  Ｉ／Ｑ差分検出器
３５  検出器
３６  処理器
【図１】
2006174227.tif 000003
【図２】
2006174227.tif 000004
【図３】
2006174227.tif 000005
【図４】
2006174227.tif 000006
【図５】
2006174227.tif 000007
【図６】
2006174227.tif 000008
【図７】
2006174227.tif 000009
【図８】
2006174227.tif 000010
【図９】
2006174227.tif 000011
【図１０】
2006174227.tif 000012